(57)【特許請求の範囲】
【請求項１】
側脚の上端前部に切り欠きを設け、この切り欠きを覆うように側脚の上端に固着した肘掛けの前部と側脚の切り欠きの部分とにより、アームの一端側を水平方向に回動可能に枢支する枢軸の上下部を支持するようにし、前記アームの他端側上面にテーブルを垂直軸をもって枢着し、かつ、テーブルの上面を、その一側縁が肘掛けの外側面に沿う肘掛け外側位置と、前記一側縁が背凭れと離隔して対向する背凭れ前方位置とに移動可能としたことを特徴とするテーブル付き椅子。
【請求項２】
テーブルの上面を、肘掛けの上面とほぼ同一高さとした請求項１記載のテーブル付き椅子。
【請求項３】
肘掛けの外側面を、平面視凸状の円弧形とするとともに、テーブルの一側縁を、平面視で肘掛けの外側面とほぼ補形をなす形状とした請求項１または２記載のテーブル付き椅子。
【請求項４】
テーブルを支持するアームの肘掛け側端部に、枢軸を中心として水平に扇形に広がり、かつ側脚の切り欠き内に嵌合しうるようにした扇形部を設けた請求項１〜３のいずれか１項に記載のテーブル付き椅子。
【発明の詳細な説明】
【０００１】
【発明の属する技術分野】
本発明は、テーブル付きの椅子、特にテーブルを座者の側方位置から前方位置に移動可能としたテーブル付き椅子に関する。
【０００２】
【従来の技術】
テーブル付きの椅子には、テーブルが固定式のものと、折り畳んで側部に収納するものとがある。
【０００３】
【発明が解決しようとする課題】
このような従来のテーブル付き椅子は、一般に、教室等のように、周囲が比較的狭い環境で使用することを目的としており、比較的広い環境条件下において、椅子の前方位置ばかりでなく、側方位置においても、テーブルを移動させて使用したい場合には不向きである。
【０００４】
本発明は、上述の問題点に鑑み、テーブルを前方位置だけではなく、側方位置にも移動させて使用することができ、しかもテーブルを強固に体裁よく支持できるようにしたテーブル付き椅子を提供することを目的としている。
【０００５】
【課題を解決するための手段】
本発明によると、上記課題は、次のようにして解決される。
(１) 側脚の上端前部に切り欠きを設け、この切り欠きを覆うように側脚の上端に固着した肘掛けの前部と側脚の切り欠きの部分とにより、アームの一端側を水平方向に回動可能に枢支する枢軸の上下部を支持するようにし、前記アームの他端側上面にテーブルを垂直軸をもって枢着し、かつ、テーブルの上面を、その一側縁が肘掛けの外側面に沿う肘掛け外側位置と、前記一側縁が背凭れと離隔して対向する背凭れ前方位置とに移動可能とする。
【０００６】
(２) 上記(１)項において、テーブルの上面を、肘掛けの上面とほぼ同一高さととする。
【０００７】
(３) 上記(１)または(２)項において、肘掛けの外側面を、平面視凸状の円弧形とするとともに、テーブルの一側縁を、平面視で肘掛けの外側面とほぼ補形をなす形状とする。
【０００８】
(４) 上記(１)〜(３)項のいずれか１項において、テーブルを支持するアームの肘掛け側端部に、枢軸を中心として水平に扇形に広がり、かつ側脚の切り欠き内に嵌合しうるようにした扇形部を設けるようにする。
【０００９】
【発明の実施の形態】
図４の斜視図に示すように、本発明の一実施形態である椅子(Ａ)は、床面近くまで達する左右の側脚(１)の間に座(２)及び背凭れ(３)が形成されている形式のものである。側脚(１)の下端には、前後２個のキャスタ(４)が取り付けられ、側脚(１)の上端には、肘掛け(５)が固定され、左側の肘掛け(５)の脇には、移動式のテーブル(６)が設けられている。
【００１０】
この椅子(Ａ)の構造を、図１を参照して簡単に説明する。
左右の側脚(１)は、図１に示すように、鋼製の芯体(７)と、これを覆う軟質のカバー部材(８)とから形成されており、下端には、キャスタ(４)を前後両端に取り付けたキャスタ杆(９)が取り付けられている。
【００１１】
横杆(10)は、左右方向に平行して延びる２本の鋼製の角管(丸管としてもよい)(11)と、その左右両端に、例えば溶接により固着させた垂直方向に延びる鋼製の取付板(12)とからなっている。
【００１２】
横杆(10)の左右両端の取付板(12)には、取付孔(13)が穿設され、ここに挿通したボルト(14)を、側脚(１)の芯体(７)に設けたねじ孔(15)に螺入して、横杆(10)を左右の側脚(１)の内側面に固定している。
【００１３】
横杆(10)における各角管(11)の上面中央には、ねじ孔(16)が穿設され、ここに符号(17)により示すリクライニング機構が、ボルト(18)により取り付けられている。
【００１４】
リクライニング機構(17)は、向かって右方の側脚(１)の前端上部に設けた操作レバー(19)を引き上げて、ロック解除状態とすることにより、背凭れ(３)を自由に後傾させることができ、しかもそれに連動して、座(２)が後下方に移動し、操作レバー(19)から手を離すことにより、背凭れ(３)及び座(２)がそのときの位置でロックされるような構成となっている。
【００１５】
このリクライニング機構(17)の内部構造は、本発明には直接関係せず、また、例えば特開平８−２６６３６３号公報に開示されている構造と同一とすることができるので、図示及び詳細な説明は省略する。
【００１６】
図１〜図３に示すように、向かって左側の側脚(１)の上端前部には、段状の切り欠き(20)が形成され、この切り欠き(20)には、塞ぐ閉塞部材(21)が取り付けられている。閉塞部材(21)の上には、ほぼ水平のアーム(22)の基端部がほぼ垂直の枢軸(23)をもって枢着されている。
【００１７】
枢軸(23)の上端部は、切り欠き(20)の上方を覆うように前方に延出する肘掛け(５)の前端部下面に設けた凹孔(図示略)に嵌合され、枢軸(23)はその上下の端部を肘掛け(５)と閉塞部材(21)とにより、側方に傾倒しないように強固に両持ち支持されている。
【００１８】
アーム(22)の基端部には、枢軸(23)を中心として水平に扇形に広がる扇形部(22a)が形成され、この扇形部(22a)が、閉塞部材(21)と肘掛け(５)との間に形成された空間内に嵌合することにより、アーム(22)の支持がさらに強力となる。
【００１９】
アーム(22)の先端部は、水平の円板状に形成され、その上に、放射状のリブ(24a)を形成した支持板(24)が、垂直軸(25)により回動可能に取り付けられている。支持板(24)上には、テーブル(６)の天板(26)が、図示していない取付ねじをもって水平に取り付けられている。
【００２０】
天板(26)は、おおよそ四角形をなしているが、図２に示すように、その一側縁を、肘掛け(５)の平面視凸状の円弧形の外側面とほぼ補形をなす凹入円弧状の凹入側縁(26a)としてある。天板(26)の上面は、肘掛け(５)の上面とほぼ等高としてある。
【００２１】
アーム(22)の先端部における垂直軸(25)の一側方には、上向きのピン(27)が突設されており、これが支持板(24)に穿設した垂直軸を中心とする約１５０°の円弧をなす円弧溝(28)に嵌合することにより、テーブル(６)は、図２に実線で示すように、凹入側縁(26a)が肘掛け(５)の外側縁に当接または近接する外側位置から、同じく想像線で示すように、凹入側縁(26a)が座者の前となる前方位置まで自由に回動でき、かつそれ以上の回動を阻止するようになっている。
【００２２】
【発明の効果】
請求項１記載の発明によれば、テーブルを、座者の前方位置において使用できるだけでなく、肘掛けの外側方に位置させた状態においても使用できるので、座者の離着席の妨げとなることがなく、有意義に使用できる。
また、アームの枢軸を肘掛けと側脚とにより強力に支持することができ、テーブルの支持が安定するとともに、枢軸の上端が肘掛けにより覆われ、外部に露呈しないので、見栄えがよい。
【００２３】
請求項２記載の発明によれば、移動可能なテーブルを肘掛けの外側方の位置において使用する際、テーブルの上面は肘掛けの上面と等高となり、物品の載置面積を広くとることができる。
【００２４】
請求項３記載の発明によれば、移動可能なテーブルを肘掛けの外側方の位置において使用する際、テーブルは肘掛けに隙間なく密着して、体裁よく、広い載置面を形成できる。
【００２５】
請求項４記載の発明によれば、テーブルをさらに安定して強固に支持することができる。
【図面の簡単な説明】
【図１】  本発明のテーブル付き椅子の一実施形態の分解斜視図である。
【図２】  同じく、その拡大平面図である。
【図３】  同じく、そのテーブル付近の拡大縦断面図である。
【図４】  同じく、その斜視図である。
【符号の説明】
(Ａ)椅子
(１)側脚
(２)座
(３)背凭れ
(４)キャスタ
(５)肘掛け
(６)テーブル
(７)芯体
(８)カバー部材
(９)キャスタ杆
(10)横杆
(11)角管
(12)取付板
(13)取付孔
(14)ボルト
(15)(16)ねじ孔
(17)リクライニング機構
(18)ボルト
(19)操作レバー
(20)切り欠き
(21)閉塞部材
(22)アーム
(22a)扇形部
(23)枢軸
(24)支持板
(24a)リブ
(25)垂直軸
(26)天板
(26a)凹入側縁
(27)ピン
(28)円弧溝
【図１】
0004578646.tif 000002
【図２】
0004578646.tif 000003
【図３】
0004578646.tif 000004
【図４】
0004578646.tif 000005